(57)【要約】      （修正有）【課題】毛筆を学び始める人に対し、基本である毛筆の持ち方を安定させ、上達を早める毛筆用の指固定具を提供する。【解決手段】柔軟性のある材料を用い、各指の位置を固定するための凹凸を形成させた形成品２１を毛筆の軸１２に巻き付ける。巻き付けられた形成品の凹凸部に各指を当接させて軸をしっかりと持つことにより、安定して毛筆を使用することができるようになる。【選択図】図３
0003176501.tif 000002
【実用新案登録請求の範囲】
【請求項１】
毛筆で文字を書く場合において、柔軟性のある材料を用い、各指の位置を固定するための凹凸を形成させ、この凹凸を形成させた形成品を毛筆の軸に巻き付けて使用する毛筆用指固定具。
【請求項２】
親指、人差指、中指、薬指の位置を固定するための凹凸を形成させた太筆用の請求項１の毛筆用指固定具。
【請求項３】
親指、人差指、中指の位置を固定するための凹凸を形成させた細筆用の請求項１の毛筆用指固定具。
【請求項４】
エラストマーを用い、射出成型により生産された請求項1ないし請求項３のいずれかの毛筆用指固定具。
【考案の詳細な説明】
【技術分野】
【０００１】
本考案は、書道を始めるとき、毛筆の把持部に本物品を巻き付け、指の位置を固定し、毛筆で書くことに慣れるための補助具に関する。
【背景技術】
【０００２】
小学生は、毛筆を使って文字を書くいわゆる書道の授業が課せられている。毛筆を使用する場合、鉛筆やボールペンと違い、毛筆の筆圧により、文字の太さが変わり徐々に筆圧を下げて文字を細くしていく等の微妙な技術の習得が必要である。このように、毛筆を上手く使いこなすことは難しく、その技術が上達するには時間を要する。
【０００３】
毛筆を上手く使いこなすことが難しい主な原因は、毛筆の持ち方にあると思われる。毛筆の持ち方によっては、人差指がくの字に曲げることができず筆圧が自由に調整できない、あるいは、親指の付け根側に毛筆の軸（筆管ともいう。）が入ったり、親指と人差指が交差したり、中指が筆の上にのったりして毛筆の動きが自在にならない。そのため、習字の時間が敬遠される傾向になっている。
【０００４】
毛筆の持ち方としては、親指と人差指で筆の軸を軽く持ち、中指、薬指、小指を軽く添える、鉛筆やボールペンなどの持ち方である単鉤法、及び筆の軸に親指と人差指と中指をかけ、薬指で軽く支えて持つ双鉤法があり、後者の双鉤法が一般的であるといわれている。
【０００５】
射出成型用金型の製作を業としてきた本考案者は、上記のような現状を見て、毛筆の持ち方を安定させるための補助具を成形品で生産することができないか思案していた。そして、本考案者は、毛筆の持ち方を安定にするため、各指を固定するための凹凸を形成させた柔軟性のある成形品を毛筆の軸に巻き付け、この軸に巻き付けられた柔軟性のある成形品を毛筆で書くための補助具とすることを考案した。
【０００６】
上記考案に関係する先行技術としては、以下のようなものが見受けられる。子どもにとっても、より使いやすく、しかも毛筆の感覚を十分に得ることができる筆記具（特許文献１）、持ち易さ及び転がり防止が改善された毛筆として、軸体の把持部分が３ケの平面部分よりなることを特徴とし、持ち易さ及び転がり防止が改善され、平面部分以外は円周状とする筆記具（特許文献２）、指先に装着される筆記具であって、指先との一体感を損なうことなく、良好な装着感が得られる筆記具として、ものを書き記すための穂部と、本体部とを備え、本体部は、穂部を支持する一方端と、指先が挿入される他方端とを有する筒形状を有する指先毛筆（特許文献３）等がある。
【先行技術文献】
【特許文献】
【０００７】
【特許文献１】特許公開２０１１−１５４２７４号公報
【特許文献２】特許公開２００５−５９４８９号公報
【特許文献３】:特許公開２０１１-１０４９９２号公報
【０００８】
上記先行技術において、特許文献１の発明は、本考案のように、毛筆の軸に直接巻き込んで使用するものではなく、毛筆の形を改めて生産するものであり、手軽に入手し、使用できるものではない。特許文献２の発明は毛筆の持ち方に言及しているものではなく、また特許文献３の発明は、指先に装着されるものであり、毛筆の持ち方には言及されていない。
【考案の概要】
【考案が解決しようとする課題】
【０００９】
本考案は、小学生に限らず、毛筆を学び始める人に対し、基本である毛筆の持ち方を安定させ、上達を早くさせることを目的とするものである。
【課題を解決するための手段】
【００１０】
本考案は、各指を固定する凹凸を形成した柔軟性のある成形品を毛筆の軸に巻き付け、安定した毛筆の持ち方ができることを主要な特徴とする。なお、本考案では、前述の一般的に普及している双鉤法による毛筆の持ち方に沿って、各指を固定する凹凸を形成しているが、単鉤法でも十分に使用できるものである。
【００１１】
先ず、第１の考案は、毛筆で文字を書く場合において、柔軟性のある材料を用い、各指の位置を固定するための凹凸を形成させ、この凹凸を形成させた形成品を毛筆の軸に巻き付けて使用する毛筆用指固定具である。なお、毛筆用指固定具には太筆用と細筆用があるが、総称して毛筆用指固定具とする。
【００１２】
毛筆とは、獣毛等をたばねて穂とし、竹・木などを軸とした筆をいう。柔軟性のある材料としたのは、毛筆の軸に巻き付けるため柔軟性を必要とし、材料としてはゴム等が挙げられる。各指を固定するとは、毛筆で文字を書く場合に、各指の位置がずれないようにすることをいう。凹凸を形成して、凹部には、所定の指が当接し、凸部は壁となって指がずれないようにする。形成品とは、凹凸が形成された１つの物品をいい、この形成品を毛筆の軸に巻き付け、毛筆で書くことに慣れるための補助具として使用するのが毛筆用指固定具である。
【００１３】
第２の考案は、親指、人差指、中指、薬指の位置を固定するための凹凸を形成させた太筆用の第１の考案の毛筆用指固定具である。
【００１４】
毛筆には、大別すると太筆と細筆がある。明確な区分があるわけではなく、前者は、毛筆の軸径が１０ｍｍ〜１３ｍｍであり、後者は、７ｍｍ〜１０ｍｍぐらいのものをいう。
この太筆では、親指、人差指、中指、薬指の４指を使って文字を書くため、これらの各指を固定するための凹凸を形成させた形成品を毛筆の軸に巻き付けて使用する補助具を第１の考案の毛筆用指固定具とする。
【００１５】
第３の考案は、親指、人差指、中指の位置を固定するための凹凸を形成させた細筆用の第１の考案の毛筆用指固定具である。
【００１６】
細筆で文字を書く場合には、太筆と異なり、薬指は直接使用せず、親指、人差指、中指の３指を使用する。そこで、細筆用として３指を固定するための凹凸を形成させた形成品を毛筆の軸に巻き付けて使用する補助具を第１の考案の毛筆用指固定具とする。
【００１７】
第４の考案は、エラストマーを用い、射出成型により生産された第１ないし第３の考案のいずれかの毛筆用指固定具である。
【００１８】
エラストマーとは、ゴム状の弾力性を有する柔軟性のある高分子材料をいい、一般的には射出成形で成形できる、熱可塑性の素材を指す。このエラストマーを毛筆用指固定具の材料として使用するものである。エラストマーは柔軟性があるだけではなく、その表面は滑り難く、当接する各指が固定しやすいためである。また、射出成型により大量生産ができ安価に提供することが可能である。
【考案の効果】
【００１９】
第１の考案では、毛筆を安定して持つことができ、毛筆で書くことに慣れ、上達も早くなる。第２の考案は、太筆用、第３の考案は、細筆用の毛筆用指固定具を提供するものである。第４の考案は、柔軟性を確保し、各指が滑り難くなり、安価で提供できる。
【図面の簡単な説明】
【００２０】
【図１】図１は、毛筆各部の名称を示した図である。
【図２】図２は、太筆用の毛筆用指固定具と、細筆用の毛筆用指固定具の比較図である。
【図３】図３は、太筆用の毛筆用指固定具を毛筆の軸に巻き付ける図である。
【図４】図４は、太筆用の毛筆用指固定具での指の位置と使用している図である。
【図５】図５は、細筆用の毛筆用指固定具を毛筆の軸に巻き付ける図である。
【図６】図６は、細筆用の毛筆用指固定具での指の位置と使用している図である。
【考案を実施するための形態】
【００２１】
以下に、本考案の実施例を示す。
【実施例１】
【００２２】
図１は、毛筆１の各部の名称を示した図である。毛筆は、穂１１と筆管（本願では軸とする。）１２から構成され、穂の先端部を命毛１４といい、毛筆にて書くときの中心となる。また、軸先１３に穂１１が付けられている。
【００２３】
図２は、太筆用の毛筆用指固定具２と、細筆用の毛筆用指固定具３の比較図である。
太筆用の毛筆用指固定具２は、４３×３０ｍｍ、細筆用の毛筆用指固定具３は３４×３０ｍｍの大きさとなっている。前者は、親指、人差指、中指、薬指の位置を固定するため、その幅は後者のそれより長くなっている。なお、これらの大きさは、太筆の軸径が１０ｍｍ、細筆のそれが７ｍｍのときに対応しやすいものであり、筆の軸径により、その大きさを変えることができ、上記の大きさに限定するものではない。
【実施例２】
【００２４】
図３は、太筆用の毛筆用指固定具２を毛筆の軸１２に巻き付ける図である。図３（A）は、太筆用の毛筆用指固定具２とその目印２１を示し、目印を穂１１の方向に向けて軸１２に巻き付ける。穂１１の先端から目印２１が、９ｃｍ〜１２ｃｍとなるように巻き付けることが望ましい。巻き付ける場合、太筆用の毛筆用指固定具２はそれ自体に粘着性があり軸１２に巻き付けることができるが、補強のため粘着テープを用いることもできる。
【００２５】
図４は、（D）が太筆用の毛筆用指固定具２での指の位置を示し、（E）が使用している図である。図４（D）において、親に親指の先、人に人差指、中に中指、薬に薬指の先をあて、図４（E）において、親指、人差指、中指で筆を支えるようにしっかり持ち、手の平に卵を包んでいるような形を意識して毛筆用指固定具２を持つことが好ましい。
【実施例３】
【００２６】
図５は、細筆用の毛筆用指固定具３を毛筆の軸１２に巻き付ける図である。図５（F）は、細筆用の毛筆用指固定具３とその目印３１を示し、目印３１を穂１１の方向に向けて軸１２に巻き付ける。穂１１の先端から目印３１が、３ｃｍ〜５ｃｍとなるように巻き付けることが望ましい。巻き付ける場合、太筆用の毛筆用指固定具２と同様に、細筆用の毛筆用指固定具３に粘着性があり軸１２に巻き付けることができるが、補強のため粘着テープを用いることもできる。
【００２７】
図６は、（I）が細筆用の毛筆用指固定具３での指の位置を示し、（J）が使用している図である。図６（I）において、親に親指の先、人に人差指、中に中指の先をあて、図６（J）において、親指、人差指、中指で筆を支えるようにしっかり持ち、手の平に卵を包んでいるような形を意識することが好ましいことは太筆用の毛筆用指固定具２と同じである。
【産業上の利用可能性】
【００２８】
本考案は、小学生に限らず、毛筆を学び始める人に対し、基本である毛筆の持ち方を安定させ、上達を早くさせることが可能であり、安価であることから需要が期待できる。
【符号の説明】
【００２９】
１  毛筆  １１  穂  １２  筆管（軸）  １３  軸先  １４  命毛
２    太筆用の毛筆用指固定具  ２１  （太筆用の毛筆用指固定具の）目印
３    細筆用の毛筆用指固定具  ３１  （細筆用の毛筆用指固定具の）目印
【図１】
0003176501.tif 000003
【図２】
0003176501.tif 000004
【図３】
0003176501.tif 000005
【図４】
0003176501.tif 000006
【図５】
0003176501.tif 000007
【図６】
0003176501.tif 000008